(57)【要約】【課題】本発明は多入力多出力（ＭＩＭＯ）関連情報の伝送方法を提供している。【解決手段】当該方法は、基地局がユーザ端末（ＵＥ）のＭＩＭＯ関連情報を符号化し、前記ＵＥへＭＩＭＯ関連情報符号化結果を含む下り制御シグナリングを送信し、前記ＵＥが基地局から送信された下り制御シグナリングを受信して、ＭＩＭＯ関連情報符号化結果を取得し、ＭＩＭＯ関連情報符号化結果を復号して自局のＭＩＭＯ関連情報を得る、ことを含む。当該方法によれば、基地局は比較的小さいシグナリングオーバーヘッドでＵＥの必要なＭＩＭＯ関連情報をＵＥに送信することができる。【選択図】図１
2011239396.tif 000002
【特許請求の範囲】
【請求項１】
多入力多出力（ＭＩＭＯ）関連情報の伝送方法であって、
基地局がユーザ端末（ＵＥ）のＭＩＭＯ関連情報を符号化し、前記ＵＥへＭＩＭＯ関連情報符号化結果を含む下り制御シグナリングを送信し、
前記ＵＥが基地局から送信された下り制御シグナリングを受信し、ＭＩＭＯ関連情報符号化結果を取得し、ＭＩＭＯ関連情報符号化結果を復号して自局のＭＩＭＯ関連情報を得ること、
を含むことを特徴とする方法。
【請求項２】
前記基地局がユーザ端末（ＵＥ）のＭＩＭＯ関連情報を符号化することは、基地局がＭＩＭＯ関連情報を符号化して３ビットのＭＩＭＯ関連情報符号化結果を得ること、を含むことを特徴とする請求項１に記載の方法。
【請求項３】
前記ＵＥへＭＩＭＯ関連情報符号化結果を含む下り制御シグナリングを送信することは、
基地局が下り制御シグナリングに、ＭＩＭＯ関連情報符号化結果を乗せるための長さ３ビットのＭＩＭＯ情報フィールドを追加し、
基地局がＭＩＭＯ関連情報符号化結果を下り制御シグナリングのＭＩＭＯ情報フィールドに乗せてＵＥに送信すること、
を含むことを特徴とする請求項２に記載の方法。
【請求項４】
基地局が下り制御シグナリングに長さ３ビットのＭＩＭＯ情報フィールドを追加することは、下り制御シグナリングの下り制御情報フォーマット（ＤＣＩ  ｆｏｒｍａｔ）  ２Ｂでのスクランブリングシーケンスインデックス（ＳＣＩＤ）フィールドを除去し、長さ３ビットのＭＩＭＯ情報フィールドを追加して、新しい下り制御シグナリングＤＣＩ  ｆｏｒｍａｔを生成すること、を含むことを特徴とする請求項３に記載の方法。
【請求項５】
前記ＵＥへＭＩＭＯ関連情報符号化結果を含む下り制御シグナリングを送信することは、
基地局が下り制御シグナリングに、スクランブリングシーケンスインデックス（ＳＣＩＤ）フィールドと共にＭＩＭＯ関連情報符号化結果を乗せるための長さ２ビットのＭＩＭＯ情報フィールドを追加し、
基地局がＭＩＭＯ関連情報符号化結果を下り制御シグナリングのＳＣＩＤフィールドと新規追加のＭＩＭＯ情報フィールドとに乗せてＵＥに送信すること、
を含むことを特徴とする請求項２に記載の方法。
【請求項６】
基地局が下り制御シグナリングに長さ２ビットのＭＩＭＯ情報フィールドを追加することは、下り制御シグナリングＤＣＩ  ｆｏｒｍａｔ  ２Ｂに長さ２ビットのＭＩＭＯ情報フィールドを追加して、新しい下り制御シグナリングＤＣＩ  ｆｏｒｍａｔを生成すること、を含むことを特徴とする請求項５に記載の方法。
【請求項７】
前記基地局が８つのアンテナポートを備える、ことを特徴とする請求項２に記載の方法。
【請求項８】
４つのアンテナポートを備える場合、前記基地局がユーザ端末（ＵＥ）のＭＩＭＯ関連情報を符号化することは、基地局がＭＩＭＯ関連情報を符号化して２ビットのＭＩＭＯ関連情報符号化結果を得ること、を含むことを特徴とする請求項１に記載の方法。
【請求項９】
前記ＵＥへＭＩＭＯ関連情報符号化結果を含む下り制御シグナリングを送信することは、
基地局が下り制御シグナリングに、ＭＩＭＯ関連情報符号化結果を乗せるための長さ２ビットのＭＩＭＯ情報フィールドを追加し、
基地局がＭＩＭＯ関連情報符号化結果を下り制御シグナリングのＭＩＭＯ情報フィールドに乗せてＵＥに送信すること、
を含むことを特徴とする請求項８に記載の方法。
【請求項１０】
基地局が下り制御シグナリングに長さ２ビットのＭＩＭＯ情報フィールドを追加することは、下り制御シグナリングＤＣＩ  ｆｏｒｍａｔ  ２Ｂでのスクランブリングシーケンスインデックス（ＳＣＩＤ）フィールドを除去し、長さ２ビットのＭＩＭＯ情報フィールドを追加して、新しい下り制御シグナリングＤＣＩ  ｆｏｒｍａｔを生成すること、を含むことを特徴とする請求項９に記載の方法。
【請求項１１】
前記ＵＥへＭＩＭＯ関連情報符号化結果を含む下り制御シグナリングを送信することは、
基地局が下り制御シグナリングに、ＳＣＩＤフィールドと共にＭＩＭＯ関連情報符号化結果を乗せるための長さ１ビットのＭＩＭＯ情報フィールドを追加し、
基地局がＭＩＭＯ関連情報符号化結果を下り制御シグナリングのＳＣＩＤフィールドと新規追加のＭＩＭＯ情報フィールドとに乗せてＵＥに送信すること、
を含むことを特徴とする請求項８に記載の方法。
【請求項１２】
基地局が下り制御シグナリングに長さ１ビットのＭＩＭＯ情報フィールドを追加することは、下り制御シグナリングＤＣＩ  ｆｏｒｍａｔ  ２Ｂに長さ１ビットのＭＩＭＯ情報フィールドを追加して、新しい下り制御シグナリングＤＣＩ  ｆｏｒｍａｔを生成することを、含むことを特徴とする請求項１１に記載の方法。
【請求項１３】
シングルユーザ（ＳＵ）とマルチユーザ（ＭＵ）との間の動的切替を支持する必要がある場合、基地局が従来の下り制御シグナリングＤＣＩ  ｆｏｒｍａｔ  ２Ｂを利用してＵＥへＭＩＭＯ関連情報を送信すること、をさらに含むことを特徴とする請求項１に記載の方法。
【請求項１４】
８つのアンテナポートを備える場合、前記基地局がユーザ端末（ＵＥ）のＭＩＭＯ関連情報を符号化することは、ＳＵとＭＵとの間の動的切替を支持する必要がない場合、基地局がＵＥのＭＩＭＯ関連情報を符号化して３ビットのＭＩＭＯ関連情報符号化結果を得ることを含み、
前記ＵＥへＭＩＭＯ関連情報符号化結果を含む下り制御シグナリングを送信することは、基地局が下り制御シグナリングに、ＭＩＭＯ関連情報符号化結果を乗せるための長さ３ビットのＭＩＭＯ情報フィールドを追加し、基地局がＭＩＭＯ関連情報符号化結果を下り制御シグナリングのＭＩＭＯ情報フィールドに乗せてＵＥに送信すること、を含むことを特徴とする請求項１３に記載の方法。
【請求項１５】
基地局が下り制御シグナリングに長さ３ビットのＭＩＭＯ情報フィールドを追加することは、下り制御シグナリングＤＣＩ  ｆｏｒｍａｔ  ２Ｂでのスクランブリングシーケンスインデックス（ＳＣＩＤ）フィールドを除去し、長さ３ビットのＭＩＭＯ情報フィールドを追加して、新しい下り制御シグナリングＤＣＩ  ｆｏｒｍａｔを生成すること、を含むことを特徴とする請求項１４に記載の方法。
【請求項１６】
４つのアンテナポートを備える場合、前記基地局がユーザ端末（ＵＥ）のＭＩＭＯ関連情報を符号化することは、ＳＵとＭＵとの間の動的切替を支持する必要がない場合、基地局がＵＥのＭＩＭＯ関連情報を符号化して１ビットのＭＩＭＯ関連情報符号化結果を得ることを含み、
前記ＵＥへＭＩＭＯ関連情報符号化結果を含む下り制御シグナリングを送信することは、基地局が下り制御シグナリングに、ＭＩＭＯ関連情報符号化結果を乗せるための長さ１ビットのＭＩＭＯ情報フィールドを追加し、基地局がＭＩＭＯ関連情報符号化結果を下り制御シグナリングのＭＩＭＯ情報フィールドに乗せてＵＥに送信すること、を含むことを特徴とする請求項１３に記載の方法。
【請求項１７】
基地局が下り制御シグナリングに長さ１ビットのＭＩＭＯ情報フィールドを追加することは、下り制御シグナリングＤＣＩ  ｆｏｒｍａｔ  ２Ｂでのスクランブリングシーケンスインデックス（ＳＣＩＤ）フィールドを除去し、長さ１ビットのＭＩＭＯ情報フィールドを追加して、新しい下り制御シグナリングＤＣＩ  ｆｏｒｍａｔを生成すること、を含むことを特徴とする請求項１６に記載の方法。
【請求項１８】
ＵＥのコードワード（ｃｏｄｅｗｏｒｄ）が１つのみイネーブルされる場合、イネーブルされていないｃｏｄｅｗｏｒｄに対応するニューデータインデックス（ＮＤＩ）フィールドを利用してＭＩＭＯ関連情報符号化結果を乗せること、をさらに含むことを特徴とする請求項１に記載の方法。
【請求項１９】
前記ＭＩＭＯ関連情報が、ＵＥのレイヤー総数（Ｒａｎｋ）、復調参照シーケンスポート（ＤＭ−ＲＳ  Ｐｏｒｔ）およびＤＭ−ＲＳのスクランブリングシーケンスインデックス（ＳＣＩＤ）を含むことを特徴とする請求項１〜１８のいずれか１項に記載の方法。
【請求項２０】
前記ＭＩＭＯ関連情報が、ＤＭ−ＲＳ密度、直交カバーコード（ＯＣＣ）長さ、をさらに含むことを特徴とする請求項１９に記載の方法。
【請求項２１】
前記ＭＩＭＯ関連情報がＵＥの伝送モードをさらに含むことを特徴とする請求項１９または請求項２０に記載の方法。
【請求項２２】
ＵＥのコードワード（ｃｏｄｅｗｏｒｄ）が１つのみイネーブルされ、かつＵＥのＲａｎｋが１より大きい場合、イネーブルされたｃｏｄｅｗｏｒｄに対応するＮＤＩフィードルを利用してＵＥへ指示すること、をさらに含むことを特徴とする請求項１に記載の方法。
【請求項２３】
ＵＥのコードワード（ｃｏｄｅｗｏｒｄ）が１つのみイネーブルされ、かつＵＥのＲａｎｋが１より大きい場合、予約された情報を利用してＵＥへ指示すること、をさらに含むことを特徴とする請求項１に記載の方法。
【発明の詳細な説明】
【技術分野】
【０００１】
本発明は移動通信技術に関し、特に、ＬＴＥ−Ａ（ＬＴＥ−  Ａｄｖａｎｃｅｄ）システムにおける多入力多出力（ＭＩＭＯ）関連情報の伝送方法に関する。
【背景技術】
【０００２】
セルラー移動電話は通信に極めて大きな便利さをもたらした。ＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎ）はデジタル通信技術を採用して、移動通信の通話品質をさらに向上させる。移動通信分野での重要な組織として、３ＧＰＰ（３ｒｄ  Ｇｅｎｅｒａｔｉｏｎ  Ｐａｒｔｎｅｒｓｈｉｐ  Ｐｒｏｊｅｃｔ）は３Ｇ（Ｔｈｅ  Ｔｈｉｒｄ  Ｇｅｎｅｒａｔｉｏｎ）の標準化の進展を大きく促進し、ＷＣＤＭＡ（Ｗｉｄｅ  Ｃｏｄｅ  Ｄｉｖｉｓｉｏｎ  Ｍｕｌｔｉｐｌｅ  Ａｃｃｅｓｓ）、ＨＳＤＰＡ（Ｈｉｇｈ  Ｓｐｅｅｄ  Ｄｏｗｎｌｉｎｋ  Ｐａｃｋｅｔ  Ａｃｃｅｓｓ）、ＨＳＵＰＡ（Ｈｉｇｈ  Ｓｐｅｅｄ  Ｕｐｌｉｎｋ  Ｐａｃｋｅｔ  Ａｃｃｅｓｓ）などを含む一連の通信システム規格を制定した。
【０００３】
広帯域アクセス技術の挑戦に応じ、ますます増えていく新型サービスのニーズを満たすために、２００４年末に３ＧＰＰは３ＧのＬＴＥ（Ｌｏｎｇ  Ｔｅｒｍ  Ｅｖｏｌｕｔｉｏｎ）技術の標準化作業を開始して、スペクトル効率をさらに向上させ、セルエッジユーザの性能を改善し、システム遅延を低減し、高速移動ユーザにより高いレートのアクセスサービスを提供することなどを期待している。ＬＴＥ技術の上で、ＬＴＥ−Ａ技術はさらにスペクトル帯域幅を数倍に増大し、データレートを倍的に向上させることで、より多くの移動ユーザにより高いレート、よりよい性能のサービスを提供する。
【０００４】
ＬＴＥ−Ａシステムはマルチユーザ多入力多出力（ＭＵ−ＭＩＭＯ）技術を支持している。即ち、ＬＴＥ−Ａシステムは同一のスペクトルリソースで複数のユーザを同時にスケジューリングすることができる。つまり、ＬＴＥ−Ａシステムにおいて、複数のＵＥは例えばリソースブロック（ＲＢ：Ｒｅｓｏｕｒｃｅ  Ｂｌｏｃｋ）などのスペクトルリソースを共有することができる。同一のスペクトルリソースを共有する複数のＵＥはＭＵ−ＭＩＭＯ伝送に参加する一組の協調伝送ＵＥと呼ばれることができる。
【０００５】
ＬＴＥ−ＡシステムはＬＴＥリリース８（Ｒｅｌ−８）システムで定義された共通参照信号（ＣＲＳ：Ｃｏｍｍｏｎ  Ｒｅｆｅｒｅｎｃｅ  Ｓｉｇｎａｌ）を継承する以外に、チャネル状態情報参照信号（ＣＳＩ−ＲＳ）と特定ＵＥに対する復調参照信号（ＤＭ−ＲＳ）とを含む２種類の新しい参照信号（ＲＳ：Ｒｅｆｅｒｅｎｃｅ  Ｓｉｇｎａｌ）も導入した。ここで、ＤＭ−ＲＳはチャネル推定復調を行う参照信号として用いられる。
【０００６】
なお、ＬＴＥ−Ａの標準化プロセスのリリース１０（Ｒｅｌ−１０）では、ＬＴＥ−Ａシステムが下記の条件を満たす下りＭＩＭＯを支持する必要があると規定されている。
【０００７】
１）ＳＵ−ＭＩＭＯに対して、支持すべくのは直交のＤＭ−ＲＳであり、かつ支持するレイヤー総数（即ちＲａｎｋ）は１〜８である。ここで、Ｒａｎｋ１−２に対して、ＤＭＲＳ密度は１２個のリソース要素（ＲＥ：ｒｅｓｏｕｒｃｅ  ｅｌｅｍｅｎｔ）であり、直交カバーコード（ＯＣＣ：Ｏｒｔｈｏｇｏｎａｌ  Ｃｏｖｅｒ  Ｃｏｄｅ）長さは２である。Ｒａｎｋ３−４に対して、ＤＭＲＳ密度は２４個のＲＥであり、ＯＣＣ長さは２である。Ｒａｎｋ５−８に対して、ＤＭＲＳ密度は２４個のＲＥであり、ＯＣＣ長さは４である。
【０００８】
２）ＭＵ−ＭＩＭＯに対して、最大４つのレイヤーを支持すべきであり、各ＭＵ−ＭＩＭＯは最大２つのレイヤーを支持する。
【０００９】
３）ＳＵ−ＭＩＭＯとＭＵ−ＭＩＭＯとの間の動的切替を支持する。
【００１０】
上記の新規規定の下りＭＩＭＯに対して、従来のＬＴＥ−Ａ標準には、基地局がＵＥのデータ復調に必要な情報を如何にＵＥに送信するかの方法が提供されていない。このように、ＵＥは自局でデータ復調を行うのに必要な情報を知ることができなくて、自局のデータ復調を完成することができなくなってしまう。説明の便宜上、ＵＥのデータ復調に必要な情報をデータ復調情報と呼び、ＭＩＭＯに関連する情報をＭＩＭＯ関連情報と呼ぶ。そのうち、ＭＩＭＯ関連情報は通常に、ＵＥのＲａｎｋ（ｎｕｍｂｅｒ  ｏｆ  ｌａｙｅｒｓ）、ＤＭ−ＲＳポート（ａｎｔｅｎｎａ  Ｐｏｒｔ）、およびＤＭ−ＲＳのスクランブリングシーケンスインデックス（ＳＣＩＤ：Ｓｃｒａｍｂｌｉｎｇ  Ｓｅｑｕｅｎｃｅ  Ｉｎｄｅｘまたはｓｃｒａｍｂｌｉｎｇ  ｉｄｅｎｔｉｔｙ）を含む。
【発明の概要】
【発明が解決しようとする課題】
【００１１】
本発明はＭＩＭＯ関連情報の伝送方法を提供している。当該方法によれば、基地局は比較的小さいオーバーヘッドでＵＥの必要なＭＩＭＯ関連情報をＵＥに送信することができる。
【課題を解決するための手段】
【００１２】
本発明の実施形態に係るＭＩＭＯ関連情報の伝送方法であって、基地局がユーザ端末（ＵＥ）のＭＩＭＯ関連情報を符号化し、前記ＵＥへＭＩＭＯ関連情報符号化結果を含む下り制御シグナリングを送信し、前記ＵＥが基地局から送信された下り制御シグナリングを受信し、ＭＩＭＯ関連情報符号化結果を取得し、ＭＩＭＯ関連情報符号化結果を復号して自局のＭＩＭＯ関連情報を得ることを含む。
【００１３】
ここで、前記基地局がユーザ端末（ＵＥ）のＭＩＭＯ関連情報を符号化することは、基地局がＭＩＭＯ関連情報を符号化して３ビットのＭＩＭＯ関連情報符号化結果を得ることを含む。
【００１４】
ここで、前記ＵＥへＭＩＭＯ関連情報符号化結果を含む下り制御シグナリングを送信することは、基地局が下り制御シグナリングに、ＭＩＭＯ関連情報符号化結果を乗せるための長さ３ビットのＭＩＭＯ情報フィールドを追加し、基地局がＭＩＭＯ関連情報符号化結果を下り制御シグナリングのＭＩＭＯ情報フィールドに乗せてＵＥに送信することを含む。
【００１５】
具体的に、基地局が下り制御シグナリングに長さ３ビットのＭＩＭＯ情報フィールドを追加することは、下り制御シグナリングの下り制御情報フォーマット（ＤＣＩ  ｆｏｒｍａｔ  ２Ｂ）でのスクランブリングシーケンスインデックス（ＳＣＩＤ）フィールドを除去し、長さ３ビットのＭＩＭＯ情報フィールドを追加して、新しい下り制御シグナリングＤＣＩ  ｆｏｒｍａｔを生成することを含む。
【００１６】
または、前記ＵＥへＭＩＭＯ関連情報符号化結果を含む下り制御シグナリングを送信することは、基地局が下り制御シグナリングに、スクランブリングシーケンスインデックス（ＳＣＩＤ）フィールドと共にＭＩＭＯ関連情報符号化結果を乗せるための長さ２ビットのＭＩＭＯ情報フィールドを追加し、基地局がＭＩＭＯ関連情報符号化結果を下り制御シグナリングのＳＣＩＤフィールドと新規追加のＭＩＭＯ情報フィールドとに乗せてＵＥに送信することを含む。
【００１７】
具体的に、基地局が下り制御シグナリングに長さ２ビットのＭＩＭＯ情報フィールドを追加することは、下り制御シグナリングＤＣＩ  ｆｏｒｍａｔ  ２Ｂに長さ２ビットのＭＩＭＯ情報フィールドを追加して、新しい下り制御シグナリングＤＣＩ  ｆｏｒｍａｔを生成することを含む。
【００１８】
４つのアンテナポートを備える場合、基地局がユーザ端末（ＵＥ）のＭＩＭＯ関連情報を符号化することは、基地局がＭＩＭＯ関連情報を符号化して２ビットのＭＩＭＯ関連情報符号化結果を得ることを含む。
【００１９】
ここで、前記ＵＥへＭＩＭＯ関連情報符号化結果を含む下り制御シグナリングを送信することは、基地局が下り制御シグナリングにＭＩＭＯ関連情報符号化結果を乗せるための長さ２ビットのＭＩＭＯ情報フィールドを追加し、基地局がＭＩＭＯ関連情報符号化結果を下り制御シグナリングのＭＩＭＯ情報フィールドに乗せてＵＥに送信することを含む。
【００２０】
具体的に、基地局が下り制御シグナリングに長さ２ビットのＭＩＭＯ情報フィールドを追加することは、下り制御シグナリングＤＣＩ  ｆｏｒｍａｔ  ２Ｂでのスクランブリングシーケンスインデックス（ＳＣＩＤ）フィールドを除去し、長さ２ビットのＭＩＭＯ情報フィールドを追加して、新しい下り制御シグナリングＤＣＩ  ｆｏｒｍａｔを生成することを含む。
【００２１】
または、前記ＵＥへＭＩＭＯ関連情報符号化結果を含む下り制御シグナリングを送信することは、基地局が下り制御シグナリングに、ＳＣＩＤフィールドと共にＭＩＭＯ関連情報符号化結果を乗せるための長さ１ビットのＭＩＭＯ情報フィールドを追加し、基地局がＭＩＭＯ関連情報符号化結果を下り制御シグナリングのＳＣＩＤフィールドと新規追加のＭＩＭＯ情報フィールドとに乗せてＵＥに送信することを含む。
【００２２】
具体的に、基地局が下り制御シグナリングに長さ１ビットのＭＩＭＯ情報フィールドを追加することは、下り制御シグナリングＤＣＩ  ｆｏｒｍａｔ  ２Ｂに長さ１ビットのＭＩＭＯ情報フィールドを追加して、新しい下り制御シグナリングＤＣＩ  ｆｏｒｍａｔを生成することを含む。
【００２３】
上記の方法は、ＳＵとＭＵとの間の動的切替を支持する必要がある場合、基地局が従来の下り制御シグナリングＤＣＩ  ｆｏｒｍａｔ  ２Ｂを利用してＵＥへＭＩＭＯ関連情報を送信することをさらに含む。
【００２４】
８つのアンテナポートを備える場合、前記基地局がユーザ端末（ＵＥ）のＭＩＭＯ関連情報を符号化することは、ＳＵとＭＵとの間の動的切替を支持する必要がない場合、基地局がＵＥのＭＩＭＯ関連情報を符号化して３ビットのＭＩＭＯ関連情報符号化結果を得ることを含み、前記ＵＥへＭＩＭＯ関連情報符号化結果を含む下り制御シグナリングを送信することは、基地局が下り制御シグナリングに、ＭＩＭＯ関連情報符号化結果を乗せるための長さ３ビットのＭＩＭＯ情報フィールドを追加し、基地局がＭＩＭＯ関連情報符号化結果を下り制御シグナリングのＭＩＭＯ情報フィールドに乗せてＵＥに送信することを含む。具体的に、基地局が下り制御シグナリングに長さ３ビットのＭＩＭＯ情報フィールドを追加することは、下り制御シグナリングＤＣＩ  ｆｏｒｍａｔ  ２Ｂでのスクランブリングシーケンスインデックス（ＳＣＩＤ）フィールドを除去し、長さ３ビットのＭＩＭＯ情報フィールドを追加して、新しい下り制御シグナリングＤＣＩ  ｆｏｒｍａｔを生成することを含む。
【００２５】
４つのアンテナポートを備える場合、前記基地局がユーザ端末（ＵＥ）のＭＩＭＯ関連情報を符号化することは、ＳＵとＭＵとの間の動的切替を支持する必要がない場合、基地局がＵＥのＭＩＭＯ関連情報を符号化して１ビットのＭＩＭＯ関連情報符号化結果を得ることを含み、前記ＵＥへＭＩＭＯ関連情報符号化結果を含む下り制御シグナリングを送信することは、基地局が下り制御シグナリングに、ＭＩＭＯ関連情報符号化結果を乗せるための長さ１ビットのＭＩＭＯ情報フィールドを追加し、基地局がＭＩＭＯ関連情報符号化結果を下り制御シグナリングのＭＩＭＯ情報フィールドに乗せてＵＥに送信することを含む。具体的に、基地局が下り制御シグナリングに長さ１ビットのＭＩＭＯ情報フィールドを追加することは、下り制御シグナリングＤＣＩ  ｆｏｒｍａｔ  ２Ｂでのスクランブリングシーケンスインデックス（ＳＣＩＤ）フィールドを除去し、長さ１ビットのＭＩＭＯ情報フィールドを追加して、新しい下り制御シグナリングＤＣＩ  ｆｏｒｍａｔを生成することを含む。
【００２６】
上記の方法は、ＵＥのコードワード（ｃｏｄｅｗｏｒｄ）が１つのみイネーブルされる場合、イネーブルされていないｃｏｄｅｗｏｒｄに対応するニューデータインデックス（ＮＤＩ）フィールドを利用してＭＩＭＯ関連情報符号化結果を乗せることをさらに含む。
【００２７】
上記の方法は、ＵＥのコードワード（ｃｏｄｅｗｏｒｄ）が１つのみイネーブルされ、かつＵＥのＲａｎｋが１より大きい場合、イネーブルされたｃｏｄｅｗｏｒｄに対応するＮＤＩフィードルを利用してＵＥへ指示すること、または予約された情報を利用してＵＥへ指示することをさらに含むようにしてもよい。
【００２８】
上記のＭＩＭＯ関連情報が、ＵＥのレイヤー総数（Ｒａｎｋ）、復調参照シーケンスポート（ＤＭ−ＲＳ  Ｐｏｒｔ）およびＤＭ−ＲＳのスクランブリングシーケンスインデックス（ＳＣＩＤ）を含み、または、ＤＭ−ＲＳ密度、直交カバーコード（ＯＣＣ）長さをさらに含み、またはＵＥの伝送モードをさらに含む。
【発明の効果】
【００２９】
本発明の実施形態では、ＬＴＥ−Ａシステムに適用するＭＩＭＯ関連情報の伝送方法を提供している。当該方法によれば、基地局はまず、ＵＥのＭＩＭＯ関連情報を符号化してから、ＭＩＭＯ関連情報符号化結果を下り制御シグナリングに乗せてユーザに送信することができる。当該方法によれば、基地局は比較的小さいシグナリングオーバーヘッドでＵＥの必要なＭＩＭＯ関連情報をＵＥに送信することができる。
【図面の簡単な説明】
【００３０】
【図１】本発明に係るＭＩＭＯ関連情報の伝送方法のフローチャートである。
【図２】本発明の実施形態１に係るＭＩＭＯ関連情報の伝送方法のフローチャートである。
【図３】本発明の実施形態２に係るＭＩＭＯ関連情報の伝送方法のフローチャートである。
【図４】本発明の実施形態３に係るＭＩＭＯ関連情報の伝送方法のフローチャートである。
【図５】本発明の実施形態４に係るＭＩＭＯ関連情報の伝送方法のフローチャートである。
【発明を実施するための形態】
【００３１】
上記のように、ＬＴＥ−ＡのＲｅｌ−１０では、ＬＴＥ−Ａシステムが下記の条件を満たす下りＭＩＭＯを支持する必要があると規定されている。
【００３２】
１）ＳＵ−ＭＩＭＯに対して、支持すべくのは直交のＤＭ−ＲＳであり、かつ支持するレイヤー総数（即ちＲａｎｋ）は１〜８である。ここで、Ｒａｎｋ１−２に対して、ＤＭＲＳ密度は１２個のＲＥであり、ＯＣＣ長さは２である。Ｒａｎｋ３−４に対して、ＤＭＲＳ密度は２４個のＲＥであり、ＯＣＣ長さは２である。Ｒａｎｋ５−８に対して、ＤＭＲＳ密度は２４個のＲＥであり、ＯＣＣ長さは４である。
【００３３】
２）ＭＵ−ＭＩＭＯに対して、最大４つのレイヤーを支持すべきであり、各ＭＵ−ＭＩＭＯは最大２つのレイヤーを支持する。
【００３４】
３）ＳＵ−ＭＩＭＯとＭＵ−ＭＩＭＯとの間の動的切替を支持し、即ち、シングルユーザ（ＳＵ）とマルチユーザ（ＭＵ）との間の動的切替を支持する。
【００３５】
また、ＬＴＥ−ＡシステムにおいてＵＥの透明性によってＵＥを透明ＵＥと非透明ＵＥとに分けることができる。ここで、透明ＵＥとは、自局のデータ復調情報のみを知り、同一のＲＢにほかのＵＥがあるかどうかを知ることができないＵＥを指す。つまり、透明ＵＥは自局がシングルユーザ多入力多出力（ＳＵ−ＭＩＭＯ）であるか、それともＭＵ−ＭＩＭＯであるかを知らない。この条件に基づくＭＵ−ＭＩＭＯ技術は透明ＭＵ−ＭＩＭＯ技術と呼ばれる。非透明ＵＥとは、自局のデータ復調情報を知る以外に、同一のＲＢに共存するほかのＵＥの情報、例えば、割り当てたＲＢのＲａｎｋ、当該ＲＢを共有するほかのＵＥのＤＭ−ＲＳポートなども知ることができるＵＥを指す。つまり、非透明ＵＥは自局がＳＵ−ＭＩＭＯであるか、それともＭＵ−ＭＩＭＯであるかを知ることができる。この条件に基づくＭＵ−ＭＩＭＯ技術は非透明ＭＵ−ＭＩＭＯ技術と呼ばれる。標準化組織では透明ＭＵ−ＭＩＭＯを採用するか、それとも非透明ＭＵ−ＭＩＭＯ技術を採用するかについて、最終的な結論がまだ出ていない。本発明は透明ＭＵ−ＭＩＭＯ技術に対する検討であるため、透明ＭＵ−ＭＩＭＯに応用される。
【００３６】
ＬＴＥ−ＡのＲｅｌ−９との互換性のために、本発明は下りＭＩＭＯがＭＵ−ＭＩＭＯである場合、２つの直交のＤＭ−ＲＳポートおよび２つのスクランブリングシーケンスを支持し、かつこの時のＤＭＲＳ密度が１２個のＲＥであり、ＯＣＣ長さが２であることを要求する。
【００３７】
上記の制限条件に基づき、本発明は一種のＭＩＭＯ関連情報の伝送方法を提出し、図１に示すように、当該方法は主に以下のステップを含む。
【００３８】
ステップ１０１で、基地局がＵＥのＭＩＭＯ関連情報を符号化し、ステップ１０２で、基地局がＵＥへＭＩＭＯ関連情報符号化結果を含む下り制御シグナリングを送信し、ステップ１０３で、ＵＥが基地局から送信された下り制御シグナリングを受信し、ＭＩＭＯ関連情報符号化結果を取得し、ステップ１０４で、ＵＥがＭＩＭＯ関連情報符号化結果を復号して、自局のＭＩＭＯ関連情報を得る。
【００３９】
本発明において、上記のＭＩＭＯ関連情報は、ＵＥのＲａｎｋ（ｎｕｍｂｅｒ  ｏｆ  ｌａｙｅｒｓ）、ＤＭ−ＲＳ  ポート（ａｎｔｅｎｎａ  Ｐｏｒｔ）、およびＤＭ−ＲＳのＳＣＩＤ（ｓｃｒａｍｂｌｉｎｇ  ｉｄｅｎｔｉｔｙ）を含み、または、さらにＤＭＲＳ密度、ＯＣＣ長さを含む。ｃｏｄｅｗｏｒｄが１つのみイネーブルされる場合ＭＩＭＯ関連情報は、ＵＥの伝送モード例えば伝送ダイバーシティ（Ｔｒａｎｓｍｉｔ  ｄｉｖｅｒｓｉｔｙ）をさらに含んでもよい。これらの情報はＵＥのデータ復調に必要な情報である。
【００４０】
以下、具体的な実施形態を介して本発明に係る伝送方法を詳しく説明する。
【００４１】
［実施形態１］
本実施形態では８つのアンテナポート（Ａｎｔｅｎｎａ  Ｐｏｒｔ）を支持する。
【００４２】
ＬＴＥ−Ａシステムが８つのアンテナポートを支持し、かつＵＥの２つのコードワード（ｃｏｄｅｗｏｒｄ）がみなイネーブル（ｅｎａｂｌｅ）される場合、当該ＵＥが下記の表１に示す８種類の状態のいずれか１つのみにあることが、研究により明らかになった。表１の各状態番号は決定されるＭＩＭＯ関連情報に対応され、例えばＵＥのＲａｎｋ（ｎｕｍｂｅｒ  ｏｆ  ｌａｙｅｒｓ）、ＤＭ−ＲＳ  ポート（ａｎｔｅｎｎａ  Ｐｏｒｔ）、およびＤＭ−ＲＳのＳＣＩＤ（ｓｃｒａｍｂｌｉｎｇ  ｉｄｅｎｔｉｔｙ）を含む。それ以外、表１に示す各状態においてＵＥのＤＭＲＳ密度及びＯＣＣ長さは、ＵＥのＲａｎｋ（ｎｕｍｂｅｒ  ｏｆ  ｌａｙｅｒｓ）、ＤＭ−ＲＳ  ポート（ａｎｔｅｎｎａ  Ｐｏｒｔ）、およびＤＭ−ＲＳのＳＣＩＤ（ｓｃｒａｍｂｌｉｎｇ  ｉｄｅｎｔｉｔｙ）に基づいて唯一に決定されることができる。
【００４３】
【表１】
2011239396.tif 000003
【００４４】
ＬＴＥ−Ａシステムが８つのアンテナポートを支持するが、ＵＥの２つのｃｏｄｅｗｏｒｄのうち１つのみがイネーブルされる場合、当該ＵＥは下記の表２に示す４種類の状態のいずれか１つのみにあることが可能である。表２の各状態番号も決定されるＭＩＭＯ関連情報に対応され、例えばＵＥのＲａｎｋ（ｎｕｍｂｅｒ  ｏｆ  ｌａｙｅｒｓ）、ＤＭ−ＲＳ  ポート（ａｎｔｅｎｎａ  Ｐｏｒｔ）、およびＤＭ−ＲＳのＳＣＩＤ（ｓｃｒａｍｂｌｉｎｇ  ｉｄｅｎｔｉｔｙ）を含む。上記のように、表２に示す各状態においてＵＥのＤＭＲＳ密度及びＯＣＣ長さは、ＵＥのＲａｎｋ（ｎｕｍｂｅｒ  ｏｆ  ｌａｙｅｒｓ）、ＤＭ−ＲＳ  ポート（ａｎｔｅｎｎａ  Ｐｏｒｔ）、およびＤＭ−ＲＳのＳＣＩＤ（ｓｃｒａｍｂｌｉｎｇ  ｉｄｅｎｔｉｔｙ）に基づいて唯一に決定されることができる。
【００４５】
【表２】
2011239396.tif 000004
【００４６】
表１と表２は合計１２種類の状態を示し、かつ各状態のＭＩＭＯ関連情報は決定されている。下り制御シグナリングにおける各ｃｏｄｅｗｏｒｄに対応する変調符号化方式（ＭＣＳ）フィールドとＲＶ（Ｒｅｄｕｎｄａｃｙ  Ｖｅｒｓｉｏｎ）フィールドとの連合指示により、ＵＥの２つのｃｏｄｅｗｏｒｄがイネーブルされるか、それとも１つのみがイネーブルされるかが得られることは知られている。例えば、下り制御シグナリングにおける１つのｃｏｄｅｗｏｒｄのＭＣＳフィールド指示が０であり、かつ当該ｃｏｄｅｗｏｒｄのＲＶフィールド指示が１である場合は、当該ｃｏｄｅｗｏｒｄがイネーブルされていないことを表明し、そうでない場合は、当該ｃｏｄｅｗｏｒｄがイネーブルされることを表明する。従って、本実施形態では、３つのビット（ｂｉｔ）のみを使用してＭＩＭＯ関連情報の符号化を完成することができる。
【００４７】
下記の表３は３ｂｉｔを使用してＭＩＭＯ関連情報を符号化して得られた１つの符号化結果を示す。
【００４８】
【表３】
2011239396.tif 000005
【００４９】
ここで、Ｓｔａｔｅ  ８〜１１とＳｔａｔｅ  ０〜３とはさらに下り制御シグナリングにおける２つのｃｏｄｅｗｏｒｄのＭＣＳフィールドとＲＶフィールドの値によって区分されることができる。また、説明すべきところとして、上記の表３は１つの例示にすぎず、ほかの任意の符号化方式を採用して状態番号とＭＩＭＯ関連情報符号化結果との対応関係を確立することもできる。
【００５０】
説明すべきところとして、上記の１２種類の状態以外に、状態Ｓｔａｔｅ  １６をさらに追加して、ｃｏｄｅｗｏｒｄが１つのみイネーブルされる場合でのＵＥの伝送モード例えば伝送ダイバーシティを代表するようにしてもよい。上記のように、下り制御シグナリングにおける各ｃｏｄｅｗｏｒｄに対応するＭＣＳフィールドとＲＶフィールドとの連合指示により、ＵＥの２つのｃｏｄｅｗｏｒｄがイネーブルされるか、それとも１つのみがイネーブルされるかが得られる。従って、このときも３つのビットを使用してＭＩＭＯ関連情報の符号化を完成することができ、例えば、上記の表３に、ＭＩＭＯ関連情報符号化結果が１１１であるときＳｔａｔｅ  １６に対応するという項目を追加する。
【００５１】
上記の研究に基づき、本実施形態では一種の伝送方法を提出し、当該方法は図２に示すように、主に以下のステップを含む。
【００５２】
ステップ２０１で、基地局がＭＩＭＯ関連情報を符号化して３ｂｉｔのＭＩＭＯ関連情報符号化結果を得、ステップ２０２で、基地局が下り制御シグナリングに、ＭＩＭＯ関連情報符号化結果を乗せるための長さ３ビットのＭＩＭＯ情報フィールドを追加し、ステップ２０３で、基地局がＭＩＭＯ関連情報符号化結果を下り制御シグナリングのＭＩＭＯ情報フィールドに乗せてＵＥに送信し、ステップ２０４で、ＵＥが下り制御シグナリングを受信し、ＭＩＭＯ関連情報符号化結果を取得し、ステップ２０５で、ＵＥがＭＩＭＯ関連情報符号化結果を復号して、自局のＭＩＭＯ関連情報を得る。
【００５３】
本実施形態では、さらに上記の下り制御シグナリングのフォーマットが定義されており、即ち、下り制御情報（ＤＣＩ：ｄｏｗｎｌｉｎｋ  ｃｏｎｔｒｏｌ  ｉｎｆｏｒｍａｔｉｏｎ）フォーマット（ｆｏｒｍａｔ）が定義されている。ＬＴＥ−ＡのＲｅｌ−９によって前に定義されたＤＣＩ  ｆｏｒｍａｔと区別するために、新たに定義されたＤＣＩ  ｆｏｒｍａｔをＤＣＩ  ｆｏｒｍａｔ  ２Ｃと呼ぶことができる。
【００５４】
本実施形態において、新たに定義されたＤＣＩ  ｆｏｒｍａｔ  ２Ｃの構成は表４に示すようである。
【００５５】
【表４】
2011239396.tif 000006
【００５６】
表４からわかるように、本実施形態でのＤＣＩ  ｆｏｒｍａｔ  ２Ｃは従来のＬＴＥ−Ａ  Ｒｅｌ−８で定義されたＤＣＩ  ｆｏｒｍａｔ  ２やＤＣＩ  ｆｏｒｍａｔ  ２Ａと比べて、その相違点がＤＣＩ  ｆｏｒｍａｔ  ２やＤＣＩ  ｆｏｒｍａｔ  ２Ａにおけるプリコーディング情報（Ｐｒｅｃｏｄｉｎｇ  ｉｎｆｏｒｍａｔｉｏｎ）フィールドをＭＩＭＯ情報フィールドに変更することだけにあり、ほかのフィールドはそのまま保持する。また、本実施形態でのＤＣＩ  ｆｏｒｍａｔ  ２Ｃは従来のＬＴＥ−Ａ  Ｒｅｌ−９で定義されたＤＣＩ  ｆｏｒｍａｔ  ２Ｂと比べて、ぞの相違点がＤＣＩ  ｆｏｒｍａｔ  ２ＢからＳＣＩＤフィールドを除去し、長さ３ｂｉｔのＭＩＭＯ情報フィールドを追加することだけにあり、ほかのフィールドはここでもみなそのまま保持する。
【００５７】
具体的に、本実施形態において、基地局はまず、例えば表３に示すような符号化方法に基づいてＭＩＭＯ関連情報を符号化して、３ｂｉｔのＭＩＭＯ関連情報符号化結果を得、その後、３ｂｉｔの符号化結果をＤＣＩ  ｆｏｒｍａｔ  ２ＣシグナリングのＭＩＭＯ情報フィールドに乗せて、ＤＣＩ  ｆｏｒｍａｔ  ２ＣシグナリングをＵＥに送信する。ＵＥは基地局から送信されたＤＣＩ  ｆｏｒｍａｔ  ２Ｃシグナリングを受信した後に、ＭＩＭＯ情報フィールドの値を取得し、例えば表３に示すような符号化方法に基づいて、取得されたＭＩＭＯ関連情報符号化結果を復号して、ＵＥの状態を得ることにより、自局のＭＩＭＯ関連情報、例えばＵＥのＲａｎｋ（ｎｕｍｂｅｒ  ｏｆ  ｌａｙｅｒｓ）、ＤＭ−ＲＳ  ポート（ａｎｔｅｎｎａ  Ｐｏｒｔ）、およびＤＭ−ＲＳのＳＣＩＤ（ｓｃｒａｍｂｌｉｎｇ  ｉｄｅｎｔｉｔｙ）を得る。その後、ＵＥのＲａｎｋ（ｎｕｍｂｅｒ  ｏｆ  ｌａｙｅｒｓ）、ＤＭ−ＲＳ  ポート（ａｎｔｅｎｎａ  Ｐｏｒｔ）、およびＤＭ−ＲＳのＳＣＩＤ（ｓｃｒａｍｂｌｉｎｇ  ｉｄｅｎｔｉｔｙ）に基づいてＤＭＲＳ密度及びＯＣＣ長さを決定する。
【００５８】
本実施形態から見れば、基地局はただ従来のＤＣＩ  ｆｏｒｍａｔ  シグナリングに長さ３ｂｉｔのＭＩＭＯ情報フィールドを追加してから、ＵＥへＭＩＭＯ関連情報を送信することができる。
【００５９】
［実施形態２］
本実施形態でも８つのアンテナポート（Ａｎｔｅｎｎａ  Ｐｏｒｔ）を支持する。
【００６０】
上記のように、ＬＴＥ−Ａシステムが８つのアンテナポートを支持し、かつＵＥの２つのコードワード（ｃｏｄｅｗｏｒｄ）がみなイネーブル（ｅｎａｂｌｅ）される場合、当該ＵＥは上記の表１に示す８種類の状態のいずれか１つのみにあることが可能である。ＬＴＥ−Ａシステムが８つのアンテナポートを支持するが、ＵＥの２つのｃｏｄｅｗｏｒｄのうち１つのみがイネーブルされる場合、当該ＵＥは上記の表２に示す４種類の状態のいずれか１つのみにある可能である。
【００６１】
ＬＴＥ−Ａ  Ｒｅｌ−９で定義されたＤＣＩ  ｆｏｒｍａｔ  ２ＢにＤＭ−ＲＳ  ＳＣＩＤを乗せるための長さ１ｂｉｔのＳＣＩＤフィールドが含まれるため、本実施形態では、当該ＳＣＩＤフィールドを十分に利用してＭＩＭＯ関連情報を乗せることができる。
【００６２】
上記の研究に基づき、本実施形態では一種の伝送方法を提出し、当該方法は図３に示すように、主に以下のステップを含む。
【００６３】
ステップ３０１で、基地局がＭＩＭＯ関連情報を符号化して３ｂｉｔのＭＩＭＯ関連情報符号化結果を得、ステップ３０２で、基地局が下り制御シグナリングに、ＳＣＩＤフィールドと共にＭＩＭＯ関連情報符号化結果を乗せるための長さ２ｂｉｔのＭＩＭＯ情報フィールドを追加し、ステップ３０３で、基地局がＭＩＭＯ関連情報符号化結果を下り制御シグナリングのＳＣＩＤフィールドとＭＩＭＯ情報フィールドとに乗せてＵＥに送信し、ステップ３０４で、ＵＥが下り制御シグナリングを受信し、ＭＩＭＯ関連情報符号化結果を取得し、ステップ３０５で、ＵＥがＭＩＭＯ関連情報符号化結果を復号して、自局のＭＩＭＯ関連情報を得る。
【００６４】
本実施形態でもさらに上記の下り制御シグナリングのフォーマットが定義されており、ＤＣＩ  ｆｏｒｍａｔ  ２Ｃとも呼ばれる。
【００６５】
本実施形態において、新たに定義されたＤＣＩ  ｆｏｒｍａｔ  ２Ｃの構成は表５に示すようである。
【００６６】
【表５】
2011239396.tif 000007
【００６７】
表５からわかるように、本実施形態でのＤＣＩ  ｆｏｒｍａｔ  ２Ｃは従来のＬＴＥ−Ａ  Ｒｅｌ−９で定義されたＤＣＩ  ｆｏｒｍａｔ  ２Ｂと比べて、その相違点が長さ２ｂｉｔのＭＩＭＯ情報フィールドを追加することだけにあり、ほかのフィールドはここでもそのまま保持する。
【００６８】
表６はＳＣＩＤフィールドとＭＩＭＯ情報フィールドを使用してＭＩＭＯ関連情報符号化結果を連合乗せる具体的な例示を示す。説明すべきところとして、表６は１つの例示にすぎず、ほかの任意の符号化方式を採用して状態番号とＳＣＩＤフィールドおよびＭＩＭＯ情報フィールドの値との対応関係を確立することもできる。
【００６９】
【表６】
2011239396.tif 000008
【００７０】
上記のように、上記の１２種類の状態以外に、状態Ｓｔａｔｅ  １６をさらに追加して、ｃｏｄｅｗｏｒｄが１つのみイネーブルされる場合でのＵＥの伝送モード例えば伝送ダイバーシティを代表するようにしてもよい。そして、このときも３つのビットを使用してＭＩＭＯ関連情報の符号化を完成することができ、例えば、上記の表３に、ＭＩＭＯ関連情報符号化結果が００１であるときＳｔａｔｅ  １６に対応するという項目を追加し、このとき、ＳＣＩＤフィールドは０であり、ＭＩＭＯ情報フィールドは０１である。
【００７１】
本実施形態において、基地局はまず、例えば表６に示すような符号化方法に基づいてＭＩＭＯ関連情報を符号化して、３ｂｉｔのＭＩＭＯ関連情報符号化結果を得、その後、３ｂｉｔの符号化結果をＤＣＩ  ｆｏｒｍａｔ  ２ＣシグナリングのＳＣＩＤフィールドとＭＩＭＯ情報フィールドとに乗せて、ＤＣＩ  ｆｏｒｍａｔ  ２ＣシグナリングをＵＥに送信する。ＵＥは基地局から送信されたＤＣＩ  ｆｏｒｍａｔ  ２Ｃシグナリングを受信した後に、ＭＩＭＯ情報フィールドの値を取得し、例えば表６に示すような符号化方法に基づいて、取得されたＭＩＭＯ関連情報符号化結果を復号して、ＵＥの状態を得ることにより、自局のＭＩＭＯ関連情報、例えばＵＥのＲａｎｋ（ｎｕｍｂｅｒ  ｏｆ  ｌａｙｅｒｓ）、ＤＭ−ＲＳ  ポート（ａｎｔｅｎｎａ  Ｐｏｒｔ）、およびＤＭ−ＲＳのＳＣＩＤ（ｓｃｒａｍｂｌｉｎｇ  ｉｄｅｎｔｉｔｙ）を得、さらにＤＭＲＳ密度及びＯＣＣ長さを決定する。
【００７２】
本実施形態から見れば、ＤＣＩ  ｆｏｒｍａｔシグナリングに既にＳＣＩＤフィールドが含まれる場合、基地局はただＤＣＩ  ｆｏｒｍａｔ  シグナリングに長さ２ｂｉｔのＭＩＭＯ情報フィールドを追加してから、ＵＥへＭＩＭＯ関連情報を送信することができる。
【００７３】
上記の実施形態１および２では４つまたは３つのＭＩＭＯ情報符号化結果が使用されていないが、ここで使用されていないＭＩＭＯ情報符号化結果を予約情報と呼ぶ。
【００７４】
説明すべきところとして、上記の実施形態１および２に係る方法は、４つのアンテナポートまたは２つのアンテナポートを支持するＬＴＥ−Ａシステムにも応用でき、このときはより多くの予約情報が得られる。
【００７５】
［実施形態３］
本実施形態では４つのアンテナポート（Ａｎｔｅｎｎａ  Ｐｏｒｔ）を支持する。
【００７６】
ＬＴＥ−Ａシステムが４つのアンテナポートを支持し、かつＵＥの２つのコードワード（ｃｏｄｅｗｏｒｄ）がイネーブル（ｅｎａｂｌｅ）される場合、当該ＵＥが下記の表７に示す４種類の状態のいずれか１つのみにあることが、研究により明らかになった。
【００７７】
【表７】
2011239396.tif 000009
【００７８】
ＬＴＥ−Ａシステムが４つのアンテナポートを支持するが、ＵＥの２つのｃｏｄｅｗｏｒｄのうち１つのみがイネーブルされる場合、当該ＵＥは下記の表８に示す４種類の状態のいずれか１つのみにあることが可能である。
【００７９】
【表８】
2011239396.tif 000010
【００８０】
表７と表８は合計８種類の状態を示す。上記のように、下り制御シグナリングにおける各ｃｏｄｅｗｏｒｄに対応する変調ＭＣＳフィールドとＲＶフィールドとの連合指示により、ＵＥの２つのｃｏｄｅｗｏｒｄがイネーブルされるか、それとも１つのみがイネーブルされるかが得られることは知られている。従って、本実施形態では、２ｂｉｔのみを使用してＭＩＭＯ関連情報の符号化を完成することができる。
【００８１】
下記の表９は２ｂｉｔを使用してＭＩＭＯ関連情報を符号化して得られた１つの符号化結果を示す。
【００８２】
【表９】
2011239396.tif 000011
【００８３】
ここで、Ｓｔａｔｅ  ４〜１１とＳｔａｔｅ  ０〜３とはさらに下り制御シグナリングにおける２つのｃｏｄｅｗｏｒｄのＭＣＳフィールドとＲＶフィールドの値によって区分されることができる。また、説明すべきところとして、上記の表９は１つの例示にすぎず、ほかの任意の符号化方式を採用して状態番号とＭＩＭＯ関連情報符号化結果との対応関係を確立することもできる。
【００８４】
上記の研究に基づき、本実施形態では一種の伝送方法を提出し、当該方法は図４に示すように、主に以下のステップを含む。
【００８５】
ステップ４０１で、基地局がＭＩＭＯ関連情報を符号化して２ｂｉｔのＭＩＭＯ関連情報符号化結果を得、ステップ４０２で、基地局が下り制御シグナリングに、ＭＩＭＯ関連情報符号化結果を乗せるための長さ２ビットのＭＩＭＯ情報フィールドを追加し、ステップ４０３で、基地局がＭＩＭＯ関連情報符号化結果を下り制御シグナリングのＭＩＭＯ情報フィールドに乗せてＵＥに送信し、ステップ４０４で、ＵＥが下り制御シグナリングを受信し、ＭＩＭＯ関連情報符号化結果を取得し、ステップ４０５で、ＵＥがＭＩＭＯ関連情報符号化結果を復号して、自局のＭＩＭＯ関連情報を得る。
【００８６】
本実施形態ではさらに上記の下り制御シグナリングのフォーマットが定義されており、ＤＣＩ  ｆｏｒｍａｔ  ２Ｃとも呼ばれる。本実施形態において、新たに定義されたＤＣＩ  ｆｏｒｍａｔ  ２Ｃの構成は表１０に示すようである。
【００８７】
【表１０】
2011239396.tif 000012
【００８８】
表１０からわかるように、本実施形態でのＤＣＩ  ｆｏｒｍａｔ  ２Ｃは実施形態１でのＤＣＩ  ｆｏｒｍａｔ  ２Ｃのフォーマットと同じであり、相違点とは本実施形態でのＭＩＭＯ情報フィールドの長さが２ｂｉｔであることだけである。
【００８９】
本実施形態において、基地局はまず、例えば表９に示すような符号化方法に基づいてＭＩＭＯ関連情報を符号化して、２ｂｉｔのＭＩＭＯ関連情報符号化結果を得、その後、２ｂｉｔの符号化結果をＤＣＩ  ｆｏｒｍａｔ  ２ＣシグナリングのＭＩＭＯ情報フィールドに乗せて、ＤＣＩ  ｆｏｒｍａｔ  ２ＣをＵＥに送信する。ＵＥは基地局から送信されたＤＣＩ  ｆｏｒｍａｔ  ２Ｃシグナリングを受信した後に、ＭＩＭＯ情報フィールドの値を取得し、例えば表９に示すような符号化方法に基づいて、取得されたＭＩＭＯ関連情報符号化結果を復号して、ＵＥの状態を得てから、表７および表８にあわせて自局のＭＩＭＯ関連情報を得る。
【００９０】
本実施形態から見れば、基地局はただ従来のＤＣＩ  ｆｏｒｍａｔ  シグナリングに長さ２ｂｉｔのＭＩＭＯ情報フィールドを追加してから、ＵＥへＭＩＭＯ関連情報を送信することができる。
【００９１】
本実施形態において、ｃｏｄｅｗｏｒｄが１つのみイネーブルされる場合でのＵＥの伝送モード例えば伝送ダイバーシティを代表するように、Ｓｔａｔｅ  １６を追加する必要がある場合は、２ｂｉｔのみを使用してＭＩＭＯ関連情報の符号化を完成することはできなく、このときは、３ｂｉｔを使用してＭＩＭＯ関連情報の符号化を完成することができる。具体的な実施形態は実施形態１を参照する。同時に、８つのアンテナポートを支持する場合は、ＵＥに最大１３種類の状態があるが、４つのアンテナポートを支持する場合は、ＵＥに最大９種類の状態があるため、８つのアンテナポートを支持する場合と比べて、４つのアンテナポートを支持するときは３ｂｉｔを使用してＭＩＭＯ同一情報の符号化を完成すると、より多くの予約情報を得ることができる。
【００９２】
［実施形態４］
本実施形態でも４つのアンテナポート（Ａｎｔｅｎｎａ  Ｐｏｒｔ）を支持する。
【００９３】
上記のように、ＬＴＥ−Ａシステムが４つのアンテナポートを支持し、かつＵＥの２つのコードワード（ｃｏｄｅｗｏｒｄ）がイネーブル（ｅｎａｂｌｅ）される場合、当該ＵＥは上記の表７に示す４種類の状態のいずれか１つのみにあることが可能である。ＬＴＥ−Ａシステムが４つのアンテナポートを支持するが、ＵＥの２つのｃｏｄｅｗｏｒｄのうち１つのみがイネーブルされる場合、当該ＵＥは上記の表８に示す４種類の状態のいずれか１つのみにあることが可能である。
【００９４】
ＬＴＥ−Ａ  Ｒｅｌ−９で定義されたＤＣＩ  ｆｏｒｍａｔ  ２ＢにＤＭ−ＲＳ  ＳＣＩＤを乗せるための長さ１ｂｉｔのＳＣＩＤフィールドが含まれるため、本実施形態では、当該ＳＣＩＤフィールドを十分に利用してＭＩＭＯ関連情報を乗せることもできる。
【００９５】
上記の研究に基づき、本実施形態では一種の伝送方法を提出し、当該方法は図５に示すように、主に以下のステップを含む。
【００９６】
ステップ５０１で、基地局がＭＩＭＯ関連情報を符号化して２ｂｉｔのＭＩＭＯ関連情報符号化結果を得、ステップ５０２で、基地局が下り制御シグナリングに、ＳＣＩＤフィールドと共にＭＩＭＯ関連情報符号化結果を乗せるための長さ１ｂｉｔのＭＩＭＯ情報フィールドを追加し、ステップ５０３で、基地局がＭＩＭＯ関連情報符号化結果を下り制御シグナリングのＳＣＩＤフィールドとＭＩＭＯ情報フィールドとに乗せてＵＥに送信し、ステップ５０４で、ＵＥが下り制御シグナリングを受信し、ＭＩＭＯ関連情報符号化結果を取得し、ステップ５０５で、ＵＥがＭＩＭＯ関連情報符号化結果を復号して、自局のＭＩＭＯ関連情報を得る。
【００９７】
本実施形態ではさらに上記の下り制御シグナリングのフォーマットが定義されており、ＤＣＩ  ｆｏｒｍａｔ  ２Ｃとも呼ばれる。
【００９８】
本実施形態において、新たに定義されたＤＣＩ  ｆｏｒｍａｔ  ２Ｃの構成は表１１に示すようである。
【００９９】
【表１１】
2011239396.tif 000013
【０１００】
表１１からわかるように、本実施形態でのＤＣＩ  ｆｏｒｍａｔ  ２Ｃは実施形態２でのＤＣＩ  ｆｏｒｍａｔ  ２Ｃのフォーマットと同じであり、相違点とは本実施形態でのＭＩＭＯ情報フィールドの長さが１ｂｉｔであることだけである。
【０１０１】
表１２はＳＣＩＤフィールドとＭＩＭＯ情報フィールドを使用してＭＩＭＯ関連情報を連合乗せる具体的な例示を示す。説明すべきところとして、表１２は１つの例示にすぎず、ほかの任意の符号化方式を採用して状態番号とＳＣＩＤフィールドおよびＭＩＭＯ情報フィールドの値との対応関係を確立することもできる。
【０１０２】
【表１２】
2011239396.tif 000014
【０１０３】
本実施形態において、基地局はまず、例えば表１２に示すような符号化方法に基づいてＭＩＭＯ関連情報を符号化して、２ｂｉｔのＭＩＭＯ関連情報符号化結果を得、その後、２ｂｉｔの符号化結果をＤＣＩ  ｆｏｒｍａｔ  ２ＣシグナリングのＳＣＩＤフィールドとＭＩＭＯ情報フィールドとに乗せて、ＤＣＩ  ｆｏｒｍａｔ  ２ＣシグナリングをＵＥに送信する。ＵＥは基地局から送信されたＤＣＩ  ｆｏｒｍａｔ  ２Ｃシグナリングを受信した後に、ＭＩＭＯ情報フィールドの値を取得し、例えば表１２に示すような符号化方法に基づいて、取得されたＭＩＭＯ関連情報符号化結果を復号して、ＵＥの状態を得てから、表７および表８にあわせて自局のＭＩＭＯ関連情報を得る。
【０１０４】
本実施形態から見れば、ＤＣＩ  ｆｏｒｍａｔシグナリングに既にＳＣＩＤフィールドが含まれる場合、基地局はただＤＣＩ  ｆｏｒｍａｔ  シグナリングに長さ１ｂｉｔのＭＩＭＯ情報フィールドを追加してから、ＵＥへＭＩＭＯ関連情報を送信することができる。
【０１０５】
本実施形態において、ｃｏｄｅｗｏｒｄが１つのみイネーブルされる場合でのＵＥの伝送モード例えば伝送ダイバーシティを代表するように、Ｓｔａｔｅ  １６を追加する必要がある場合は、２ｂｉｔのみを使用してＭＩＭＯ関連情報の符号化を完成することができなくなり、このときは、３ｂｉｔを使用してＭＩＭＯ関連情報の符号化を完成することができる。具体的な実施方式は実施形態２を参照する。同時に、８つのアンテナポートを支持する場合は、ＵＥに最大１３種類の状態があるが、４つのアンテナポートを支持する場合は、ＵＥに最大９種類の状態があるため、８つのアンテナポートを支持する場合と比べて、４つのアンテナポートを支持するときは３ｂｉｔを使用してＭＩＭＯ同一情報の符号化を完成すると、より多くの予約情報を得ることができる。
【０１０６】
［実施形態５］
ＬＴＥ−ＡのＲｅｌ−９が、ＭＵ−ＭＩＭＯに対して、最大４つのレイヤーを支持し、各ＭＵ−ＭＩＭＯが最大２つのレイヤーを支持するが、ＳＵ−ＭＩＭＯに対して、最大Ｒａｎｋ２を支持するため、８つのアンテナポートを支持するとき、ＳＵとＭＵとの間の動的切替を支持する必要がある場合、つまり、ＵＥが表１に示す状態０、状態１、および表２に示す状態８〜１１のいずれか１つにある場合、直接にＬＴＥ−Ａ  Ｒｅｌ−９で定義されたＤＣＩ  ｆｏｒｍａｔ  ２Ｂを使用してＵＥへＭＩＭＯ関連情報を送信することができる。しかし、ＳＵとＭＵとの間の動的切替を支持する必要がない場合、つまり、ＵＥが表１に示す状態２〜７にある場合、図２に示す方法を採用して３ｂｉｔのＭＩＭＯ情報フィールドを使用してＵＥへＭＩＭＯ関連情報を送信する。新たに定義されたＤＣＩ  ｆｏｒｍａｔは表５を参照することができ、このときＳＣＩＤフィールドを必要しない。４つのみのアンテナポートを支持するとき、ＳＵとＭＵとの間の動的切替を支持する必要がある場合、つまり、ＵＥが表７に示す状態０、状態１、および表８に示す状態４〜７のいずれか１つにある場合、直接にＬＴＥ−Ａ  Ｒｅｌ−９で定義されたＤＣＩ  ｆｏｒｍａｔ  ２Ｂを使用してＵＥへＭＩＭＯ関連情報を送信することができる。しかし、ＳＵとＭＵとの間の動的切替を支持する必要がない場合、つまり、ＵＥが表７に示す状態２または３にある場合、ＤＣＩ  ｆｏｒｍａｔシグナリングに１ｂｉｔのＭＩＭＯ情報フィールドを追加してＵＥへＭＩＭＯ関連情報を送信する必要がある。新たに定義されたＤＣＩ  ｆｏｒｍａｔも表５を参照することができるが、ＭＩＭＯ情報フィールドの長さは１ｂｉｔだけであり、このときＳＣＩＤフィールドを必要しない。
【０１０７】
説明すべきところとして、上記の実施形態１〜５において、ｃｏｄｅｗｏｒｄが１つのみイネーブルされることに対応する場合、Ｒａｎｋが１より大きい状況はデータの再送のみに適用する。具体的に、８つのアンテナポートを支持し、ｃｏｄｅｗｏｒｄが１つのみイネーブルされ、かつＲａｎｋが１より大きい場合、ＵＥは以下の４つの状態にある可能であり、実施形態１および２に言及したＳｔａｔｅ  ０〜Ｓｔａｔｅ  １１と区別するように、本実施形態では、それぞれＳｔａｔｅ  １２〜Ｓｔａｔｅ  １５を用いて上記の４つの状態を表す。下記の表１３は上記の４つの状態でのＭＩＭＯ関連情報を示す。説明すべきところとして、下記の表１３でのＳｔａｔｅ  １３は必ず存在するものではない。つまり、８つのアンテナポートを支持し、ｃｏｄｅｗｏｒｄが１つのみイネーブルされ、かつＲａｎｋが１より大きい場合、ＵＥは以下のＳｔａｔｅ  １２、Ｓｔａｔｅ  １４またはＳｔａｔｅ  １５の３種類の状態のみにあることが可能である。
【０１０８】
【表１３】
2011239396.tif 000015
【０１０９】
このとき、基地局はイネーブルされたｃｏｄｅｗｏｒｄに対応するニューデータインデックス（ＮＤＩ）フィールドを介してＵＥへデータの再送を指示し、新規追加のＭＩＭＯ情報フィールドを介してＵＥが上記の４つまたは３つの状態の１つにあるときのＭＩＭＯ関連情報をＵＥへ指示することができる。
【０１１０】
上記の実施形態１に対応して、基地局はｃｏｄｅｗｏｒｄが１つのみイネーブルされ、かつＲａｎｋが１より大きい場合でのＵＥのＭＩＭＯ関連情報を符号化し、符号化結果を新規追加のＭＩＭＯ情報フィールドに乗せて、イネーブルされたｃｏｄｅｗｏｒｄに対応するＮＤＩを介してデータの再送を指示することができる。下記の表１４はイネーブルされたｃｏｄｅｗｏｒｄに対応するＮＤＩフィールドおよび新規追加のＭＩＭＯ情報フィールドとＳｔａｔｅ  １２〜Ｓｔａｔｅ  １５との対応関係を示す。
【０１１１】
【表１４】
2011239396.tif 000016
【０１１２】
この場合に、基地局はまず、例えば表１４に示すような符号化方法に基づいてＭＩＭＯ関連情報を符号化して、３ｂｉｔのＭＩＭＯ関連情報符号化結果を得、その後、３ｂｉｔの符号化結果をＤＣＩ  ｆｏｒｍａｔ  ２ＣシグナリングのＭＩＭＯ情報フィールドに乗せて、イネーブルされたｃｏｄｅｗｏｒｄに対応するＮＤＩを反転しないように設定し、ＤＣＩ  ｆｏｒｍａｔ  ２ＣシグナリングをＵＥに送信する。ＵＥは基地局から送信されたＤＣＩ  ｆｏｒｍａｔ  ２Ｃシグナリングを受信した後に、イネーブルされたｃｏｄｅｗｏｒｄに対応するＮＤＩに基づいて、ＤＣＩ  ｆｏｒｍａｔ  ２Ｃシグナリングがデータ再送を指示することを知り、ＭＩＭＯ情報フィールドの値を取得し、例えば表１４に示すような符号化方法に基づいて、取得されたＭＩＭＯ関連情報符号化結果を復号してから、表１３にあわせて自局のＭＩＭＯ関連情報を得る。
【０１１３】
上記の実施形態２に対応して、基地局はｃｏｄｅｗｏｒｄが１つのみイネーブルされ、かつＲａｎｋが１より大きい場合でのＵＥのＭＩＭＯ関連情報を符号化し、符号化結果をＳＣＩＤフィールドと新規追加のＭＩＭＯ情報フィールドとに乗せて、イネーブルされたｃｏｄｅｗｏｒｄに対応するＮＤＩを介してデータの再送を指示することもできる。下記の表１５はイネーブルされたｃｏｄｅｗｏｒｄに対応するＮＤＩフィールド、ＳＣＩＤフィールドおよび新規追加のＭＩＭＯ情報フィールドとＳｔａｔｅ  １２〜Ｓｔａｔｅ  １５との対応関係を示す。
【０１１４】
【表１５】
2011239396.tif 000017
【０１１５】
この場合に、基地局はまず、例えば表１５に示すような符号化方法に基づいてＭＩＭＯ関連情報を符号化して、３ｂｉｔのＭＩＭＯ関連情報符号化結果を得、その後、３ｂｉｔの符号化結果をＤＣＩ  ｆｏｒｍａｔ  ２ＣシグナリングのＳＣＩＤフィールドとＭＩＭＯ情報フィールドとに乗せて、イネーブルされたｃｏｄｅｗｏｒｄに対応するＮＤＩを反転しないように設定し、ＤＣＩ  ｆｏｒｍａｔ  ２ＣシグナリングをＵＥに送信する。ＵＥは基地局から送信されたＤＣＩ  ｆｏｒｍａｔ  ２Ｃシグナリングを受信した後に、イネーブルされたｃｏｄｅｗｏｒｄに対応するＮＤＩに基づいて、ＤＣＩ  ｆｏｒｍａｔ  ２Ｃシグナリングがデータ再送を指示することを知り、ＳＣＩＤフィールドとＭＩＭＯ情報フィールドの値を取得し、例えば表１５に示すような符号化方法に基づいて取得されたＭＩＭＯ関連情報符号化結果を復号してから、表１３にあわせて自局のＭＩＭＯ関連情報を得る。
【０１１６】
また、実施形態１の表３および実施形態２の表６からわかるように、実施形態１および２において、ｃｏｄｅｗｏｒｄが１つのみイネーブルされることに対応する場合、ＵＥには４つの状態のみがあり、Ｓｔａｔｅ１６を含むと５つの状態があるが、長さ３ｂｉｔのＭＩＭＯ関連情報符号化結果は合計８つの状態を符号化することができる。従って、上記の実施形態１および２には４つまたは３つの、ＭＩＭＯ情報符号化結果が使用されていない予約情報がある。上記の研究によっては、上記手段の代替手段として、予約情報を使用してＵＥへｃｏｄｅｗｏｒｄが１つのみイネーブルされかつＲａｎｋが１より大きい状態を指示できる手段が得られる。例えば、４つの予約情報がある場合、予約情報を使用してＵＥへｃｏｄｅｗｏｒｄが１つのみイネーブルされかつＲａｎｋが１より大きい４つの再送状態または３つの再送状態（例えば、Ｓｔａｔｅ  １２、Ｓｔａｔｅ  １４およびＳｔａｔｅ  １５）を指示する。３つの予約情報がある場合、予約情報を使用してＵＥへｃｏｄｅｗｏｒｄが１つのみイネーブルされかつＲａｎｋが１より大きい３つの再送状態（例えば、Ｓｔａｔｅ  １２、Ｓｔａｔｅ  １４およびＳｔａｔｅ  １５）を指示する。つまり、イネーブルされたｃｏｄｅｗｏｒｄに対応するＮＤＩフィールドを使用して指示する必要はなく、ｃｏｄｅｗｏｒｄが１つのみイネーブルされるときＲａｎｋが１に等しい４つまたは５つの非再送状態とＲａｎｋが１より大きい４つまたは３つの再送状態とを連合して符号化して、直接に３ｂｉｔのＭＩＭＯ情報符号化結果を使用してこの７つまたは８つの状態を表す。
【０１１７】
具体的に、上記の実施形態１に対応して、基地局はＵＥのＭＩＭＯ関連情報（ｃｏｄｅｗｏｒｄが１つのみイネーブルされかつＲａｎｋが１より大きい場合でのＵＥのＭＩＭＯ関連情報を含む）を符号化し、符号化結果を新規追加のＭＩＭＯ情報フィールドに乗せることができる。下記の表１６はＭＩＭＯ関連情報符号化結果、新規追加のＭＩＭＯ情報フィールドとＵＥの各状態との対応関係を示す。
【０１１８】
【表１６】
2011239396.tif 000018
【０１１９】
この場合に、基地局はまず、例えば表１６に示すような符号化方法に基づいてＭＩＭＯ関連情報を符号化して、３ｂｉｔのＭＩＭＯ関連情報符号化結果を得、その後、３ｂｉｔの符号化結果をＤＣＩ  ｆｏｒｍａｔ  ２ＣシグナリングのＭＩＭＯ情報フィールドに乗せて、ＤＣＩ  ｆｏｒｍａｔ  ２ＣシグナリングをＵＥに送信する。ＵＥは基地局から送信されたＤＣＩ  ｆｏｒｍａｔ  ２Ｃシグナリングを受信した後に、ＭＩＭＯ情報フィールドの値を取得し、例えば表１６に示すような符号化方法に基づいて、取得されたＭＩＭＯ関連情報符号化結果を復号して、ＵＥの状態を得てから、表１、表２および表１３にあわせて自局のＭＩＭＯ関連情報を得る。
【０１２０】
上記の実施形態２に対応して、基地局はＵＥのＭＩＭＯ関連情報（ｃｏｄｅｗｏｒｄが１つのみイネーブルされかつＲａｎｋが１より大きい場合でのＵＥのＭＩＭＯ関連情報を含む）を符号化し、符号化結果を新規追加のＳＣＩＤフィールドとＭＩＭＯ情報フィールドとに乗せることができる。下記の表１７はＭＩＭＯ関連情報符号化結果、ＳＣＩＤフィールド、新規追加のＭＩＭＯ情報フィールドとＵＥの各状態との対応関係を示す。
【０１２１】
【表１７】
2011239396.tif 000019
【０１２２】
この場合に、基地局はまず、例えば表１７に示すような符号化方法に基づいてＭＩＭＯ関連情報を符号化して、３ｂｉｔのＭＩＭＯ関連情報符号化結果を得、その後、３ｂｉｔの符号化結果をＤＣＩ  ｆｏｒｍａｔ  ２ＣシグナリングのＳＣＩＤフィールドとＭＩＭＯ情報フィールドとに乗せて、ＤＣＩ  ｆｏｒｍａｔ  ２ＣシグナリングをＵＥに送信する。ＵＥは基地局から送信されたＤＣＩ  ｆｏｒｍａｔ  ２Ｃシグナリングを受信した後に、ＳＣＩＤフィールドとＭＩＭＯ情報フィールドの値を取得し、例えば表１７に示すような符号化方法に基づいて、取得されたＭＩＭＯ関連情報符号化結果を復号して、ＵＥの状態を得てから、表１、表２および表１３にあわせて自局のＭＩＭＯ関連情報を得る。
【０１２３】
説明すべきところとして、上記の表１４〜表１７はＭＩＭＯ関連情報を符号化する１つの例示を示すにすぎず、当業者にとって、ほかの任意の符号化方式を採用して状態番号とＭＩＭＯ関連情報符号化結果との対応関係を確立することができる。
【０１２４】
また、説明すべきところとして、上記の方法は８つのアンテナポートを支持する場合に適用するだけでなく、４つまたは２つのアンテナポートを支持するＬＴＥ−Ａシステムにも適用できる。
【０１２５】
なお、上記の実施形態１〜５において、ｃｏｄｅｗｏｒｄが１つのみイネーブルされることに対応する場合、イネーブルされていないｃｏｄｅｗｏｒｄに対応するＮＤＩフィールドが空であるため、この時、当該ＮＤＩフィールドと新規追加のＭＩＭＯ情報フィールド（または、ＳＣＩＤフィールドをさらに含む）とを連合して符号化することができ、即ち、ＮＤＩフィールドと新規追加のＭＩＭＯ情報フィールド（または、ＳＣＩＤフィールドをさらに含む）とを使用してともにＭＩＭＯ関連情報符号化結果を乗せることができる。
【０１２６】
上記は、本発明の好ましい実施例にすぎず、本発明の保護範囲を限定するものではない。本発明の精神と原則内で行われる種々の修正、均等置換え、改善などは全て本発明の保護範囲内に含まれるべきである。
【図１】
2011239396.tif 000020
【図２】
2011239396.tif 000021
【図３】
2011239396.tif 000022
【図４】
2011239396.tif 000023
【図５】
2011239396.tif 000024